(57)【要約】      （修正有）【課題】タッチパネルを使用しても、編集画面に表示されたサムネイル画像に対する編集入力と拡大入力を識別可能であって、一般的な編集作業の操作になれたユーザに違和感のないユーザインタフェースを提供する。【解決手段】サムネイル画像群（編集画像）の編集対象画像が選択されていない状態であり（ステップＳ１１０）、タッチペンがサムネイル画像を指示している場合には（ステップＳ１２０）、入力種別はサムネイル画像に対する編集対象選択入力であると判定し（ステップＳ１３０）、サムネイル画像を編集対象画像として選択する（ステップＳ１４０）。またサムネイル画像群（編集画像）の編集対象画像が選択されている状態であり（ステップＳ１１０でＹ）、タッチペンが編集対象画像ではないサムネイル画像を指示している場合には（ステップＳ１７０）、入力種別は編集画像に対する編集対象選択入力であると判定する（ステップＳ１９０）。【選択図】図１３
2014203084.tif 000002
【特許請求の範囲】
【請求項１】
撮影部または外部から複数の被写体画像を取得し保存する画像記憶部と、
複数のポインティングデバイスと、
前記ポインティングデバイス毎に、編集モニタの表示領域が設定され、前記複数の被写体画像に対応する複数の編集対象画像をサムネイル表示するためのサムネイル表示画像群と、前記編集対象画像に対して編集処理を指示するために用いる編集ツール画像とを前記表示領域に対応付けて表示する表示制御を行う表示制御部と、
前記編集用モニタを指示する前記ポインティングデバイスの指示位置情報を含む入力情報を取得する入力情報取得部と、
前記編集ツール画像に対応する位置情報と前記入力情報とに基づき、前記編集対象画像に対する編集処理を行う編集処理部とを含む撮影画像編集システムにおいて、
前記編集処理部は、前記表示領域毎に、
（ｉ）編集開始時は、入力種別を「入力待機」と判定し、
（ii）前記入力種別が「入力待機」の場合、
前記入力情報が、サムネイル表示している編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「入力待機」を継続し、
（iii）前記入力種別が、「画像選択」の場合、
前記入力情報が、選択中の編集対象画像に対する入力のときは、入力種別を「画像選択」と判定して、当該画像に対応する編集対象画像を選択中とし、
前記入力情報が、前記編集ツール画像に対する入力のときは、入力種別を「編集選択」と判定し、当該入力情報に応じて編集処理の種類を選択し、
前記入力情報が、選択中の編集対象画像以外の編集対象画像に対する入力のときは、入力種別を「画像選択」と判定して、当該サムネイル表示画像に対応する編集対象画像を選択中とし、
（iv）前記入力種別が、「編集選択」の場合、
前記入力情報が、選択中の編集対象画像に対する入力のときは、入力種別を「編集中」と判定し、当該編集対象画像に対して、選択された種類の編集処理を実行し、
前記入力情報が、選択中の編集対象画像以外の編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「編集選択」と判定して、当該入力情報に応じて編集処理の種類を選択する処理を実行することを特徴とする撮影画像編集システム。
【請求項２】
請求項１において、
前記表示制御部は、
前記入力情報が、サムネイル表示画像に対する入力で、かつ、サムネイル表示を拡大するための所定の入力のときは、当該サムネイル表示画像を拡大表示する撮影画像編集システム。
【請求項３】
請求項１又は２において、
前記編集処理部は、
編集開始時に、前記サムネイル表示画像群のうち、何れか一つを編集対象画像として選択し、前記入力種別を「画像選択」と判定することを特徴とする撮影画像編集システム。
【請求項４】
請求項１乃至３のいずれかにおいて、
前記入力情報取得部は、
前記編集対象画像に対していずれかのポインティングデバイスの接触が継続している場合には、当該編集対象画像に対する他のポインティングデバイスの入力を受け付けないことを特徴とする撮影画像編集システム。
【請求項５】
請求項１乃至４のいずれかにおいて、
前記入力情報取得部は、
前記サムネイル画像に対して複数のポインティングデバイスの入力情報が競合した場合には、先に入力された入力情報を、当該サムネイル画像に対する有効な入力情報とすることを特徴とする撮影画像編集システム。
【請求項６】
ポインティングデバイス毎に、編集モニタの表示領域が設定され、前記複数の被写体画像に対応する複数の編集対象画像をサムネイル表示するためのサムネイル表示画像群と、前記編集対象画像に対して編集処理を指示するために用いる編集ツール画像とを前記表示領域に対応付けて表示する表示制御を行う表示制御部と、
前記編集用モニタを指示する前記ポインティングデバイスの指示位置情報を含む入力情報を取得する入力情報取得部と、
前記編集ツール画像に対応する位置情報と前記入力情報とに基づき、前記編集対象画像に対する編集処理を行う編集処理部と、を含む撮影画像編集システムとしてコンピュータを機能させ、
前記編集処理部は、前記表示領域毎に、
（ｉ）編集開始時は、入力種別を「入力待機」と判定し、
（ii）前記入力種別が「入力待機」の場合、
前記入力情報が、サムネイル表示している編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「入力待機」を継続し、
（iii）前記入力種別が、「画像選択」の場合、
前記入力情報が、選択中の編集対象画像に対する入力のときは、入力種別を「画像選択」と判定して、当該画像に対応する編集対象画像を選択中とし、
前記入力情報が、前記編集ツール画像に対する入力のときは、入力種別を「編集選択」と判定し、当該入力情報に応じて編集処理の種類を選択し、
前記入力情報が、選択中の編集対象画像以外の編集対象画像に対する入力のときは、入力種別を「画像選択」と判定して、当該サムネイル表示画像に対応する編集対象画像を選択中とし、
（iv）前記入力種別が、「編集選択」の場合、
前記入力情報が、選択中の編集対象画像に対する入力のときは、入力種別を「編集中」と判定し、当該編集対象画像に対して、選択された種類の編集処理を実行し、
前記入力情報が、選択中の編集対象画像以外の編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「編集選択」と判定して、当該入力情報に応じて編集処理の種類を選択する処理を実行することを特徴とするプログラム。
【請求項７】
ポインティングデバイス毎に、編集モニタの表示領域が設定され、前記複数の被写体画像に対応する複数の編集対象画像をサムネイル表示するためのサムネイル表示画像群と、前記編集対象画像に対して編集処理を指示するために用いる編集ツール画像とを前記表示領域に対応付けて表示する表示制御を行う表示制御ステップと、
前記編集用モニタを指示する前記ポインティングデバイスの指示位置情報を含む入力情報を取得する入力情報取得ステップと、
前記編集ツール画像に対応する位置情報と前記入力情報とに基づき、前記編集対象画像に対する編集処理を行う編集処理ステップと、を含む撮影画像編集システムの制御方法において、
前記編集処理ステップは、前記表示領域毎に、
（ｉ）編集開始時は、入力種別を「入力待機」と判定し、
（ii）前記入力種別が「入力待機」の場合、
前記入力情報が、サムネイル表示している編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「入力待機」を継続し、
（iii）前記入力種別が、「画像選択」の場合、
前記入力情報が、選択中の編集対象画像に対する入力のときは、入力種別を「画像選択」と判定して、当該画像に対応する編集対象画像を選択中とし、
前記入力情報が、前記編集ツール画像に対する入力のときは、入力種別を「編集選択」と判定し、当該入力情報に応じて編集処理の種類を選択し、
前記入力情報が、選択中の編集対象画像以外の編集対象画像に対する入力のときは、入力種別を「画像選択」と判定して、当該サムネイル表示画像に対応する編集対象画像を選択中とし、
（iv）前記入力種別が、「編集選択」の場合、
前記入力情報が、選択中の編集対象画像に対する入力のときは、入力種別を「編集中」と判定し、当該編集対象画像に対して、選択された種類の編集処理を実行し、
前記入力情報が、選択中の編集対象画像以外の編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「編集選択」と判定して、当該入力情報に応じて編集処理の種類を選択する処理を実行することを特徴とする撮影画像編集システムの制御方法。
【発明の詳細な説明】
【技術分野】
【０００１】
本発明は撮影画像編集システム撮影画像編集システム、プログラム及び撮影画像編集システムの制御方法に関する。
【背景技術】
【０００２】
ＣＣＤカメラ等の撮影部で撮影された被写体の画像を編集してプリントする写真シール製造機（写真印刷装置の一例）等の撮影画像編集システムが知られている。
【０００３】
この撮影画像編集システムでは、ユーザが撮影した画像上に付属のペンで任意の文字や図形などを書き込む（編集する）ことができるものも存在する。
【０００４】
最近では、写真シールとしての印刷を行わずに、ネットワークを介して編集画像を交換したり、Web上に公開したりするコミュニケーションツールとしても人気が高い。
【先行技術文献】
【特許文献】
【０００５】
【特許文献１】特許３４０９２６０号公報
【発明の概要】
【発明が解決しようとする課題】
【０００６】
編集機能を備えた画像印刷装置においては、デジタイザ等で構成された編集用のモニタに、撮影画像を表示撮影画像に対して落書き等を行うための編集画面が二人分表示され、二人のユーザが各自の編集画面で並行して個別に撮影画像に対して編集作業を行い、ユーザごとに編集画像を作成するものが知られている。
【０００７】
編集画面には複数の撮影画像がサムネイル画像として表示され、複数のユーザはそれぞれサムネイル画像から所望の撮影画像を選択して編集領域に拡大表示してから、編集領域の拡大画像に対して個別に編集作業を行う。
【０００８】
しかしこの場合、拡大画像についてのみ編集作業が可能であり、編集画面に表示されたサムネイル画像について自由に編集を行うことはできなかった。
【０００９】
サムネイル画像にも編集入力を認めると、サムネイル画像を拡大するための選択入力とサムネイル画像に対する編集入力を区別することが必要になる。
【００１０】
しかし従来と異なる入力方式を採用すると一般的な編集作業の操作になれたユーザにとって使いづらいものとなる。
【００１１】
また従来から撮影装置の編集用モニタに使用されているデジタイザは１つの編集用モニタに対して複数の専用ポインティングデバイスを使用するように構成されており、専用ポインティングデバイス以外の入力は受付けず、かつ、どのポインティングデバイスによる入力か判別できるようになっている。このため、編集用モニタにポインティングデバイス以外が触れても入力を受付けないため誤入力を防ぎ、複数のユーザが１つの編集用モニタを用いて編集作業を行う場合でも、どのポインティングデバイスを用いた入力なのかを識別し、どちらのユーザによる入力なのかを推測できた。
【００１２】
一方、画面への接触入力を検出できるものとしては、感圧式や静電式のタッチパネルも
あるが、入力が何による入力であるかを識別することが困難である。以降、ペンや指などの入力部材を識別できない感圧式や静電式のタッチパネルと、入力部材を識別できるデジタイザとの違いを明確にするため、本願では、前者を「タッチパネル」後者を「デジタイザ」と区別することとする。
【００１３】
この種のタッチパネルは安価であるため、ゲーム機やスマートフォン等に採用されている。撮影部を備えた撮影画像編集システムにおいても、編集用モニタにタッチパネルの採用が検討されているが、タッチパネルは、複数の入力の組合せにより編集処理を実行する場合、複数の入力の関連性を判断できないため、複数のユーザが同時に入力を行う写真シール印刷機などの撮影画像編集システムにおいて採用されることはなかった。
【００１４】
本発明はこのような状況に鑑みてなされたものであり、編集用モニタに入力がどのユーザによるものなのか識別できないタッチパネルを用いた場合であっても、編集画面に表示されたサムネイル画像に対する編集入力と拡大入力を識別可能であって、一般的な編集作業の操作になれたユーザに違和感のない、汎用性の高いユーザインタフェースを提供できる撮影画像編集システム、プログラム及び撮影画像編集システムの制御方法を提供することができる。
【課題を解決するための手段】
【００１５】
（１）本発明は、
撮影部または外部から複数の被写体画像を取得し保存する画像記憶部と、
複数のポインティングデバイスと、
前記ポインティングデバイス毎に、編集モニタの表示領域が設定され、前記複数の被写体画像に対応する複数の編集対象画像をサムネイル表示するためのサムネイル表示画像群と、前記編集対象画像に対して編集処理を指示するために用いる編集ツール画像とを前記表示領域に対応付けて表示する表示制御を行う表示制御部と、
前記編集用モニタを指示する前記ポインティングデバイスの指示位置情報を含む入力情報を取得する入力情報取得部と、
前記編集ツール画像に対応する位置情報と前記入力情報とに基づき、前記編集対象画像に対する編集処理を行う編集処理部とを含む撮影画像編集システムにおいて、
前記編集処理部は、前記表示領域毎に、
（ｉ）編集開始時は、入力種別を「入力待機」と判定し、
（ii）前記入力種別が「入力待機」の場合、
前記入力情報が、サムネイル表示している編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「入力待機」を継続し、
（iii）前記入力種別が、「画像選択」の場合、
前記入力情報が、選択中の編集対象画像に対する入力のときは、入力種別を「画像選択」と判定して、当該画像に対応する編集対象画像を選択中とし、
前記入力情報が、前記編集ツール画像に対する入力のときは、入力種別を「編集選択」と判定し、当該入力情報に応じて編集処理の種類を選択し、
前記入力情報が、選択中の編集対象画像以外の編集対象画像に対する入力のときは、入力種別を「画像選択」と判定して、当該サムネイル表示画像に対応する編集対象画像を選択中とし、
（iv）前記入力種別が、「編集選択」の場合、
前記入力情報が、選択中の編集対象画像に対する入力のときは、入力種別を「編集中」と判定し、当該編集対象画像に対して、選択された種類の編集処理を実行し、
前記入力情報が、選択中の編集対象画像以外の編集対象画像に対する入力のときは、入
力種別を「画像選択」と判定して、当該サムネイル表示画像に対応する編集対象画像を選択中とし、
前記入力情報が、前記編集ツール画像に対する入力のときは、入力種別を「編集選択」と判定して、当該入力情報に応じて編集処理の種類を選択する処理を実行する
ことを特徴とする撮影画像編集システムに関する。
【００１６】
また本発明は、
各ポインティングデバイス毎に、編集モニタの表示領域が設定され、前記複数の被写体画像に対応する複数の編集対象画像をサムネイル表示するためのサムネイル表示画像群と、前記編集対象画像に対して編集処理を指示するために用いる編集ツール画像とを前記表示領域に対応付けて表示する表示制御を行う表示制御部と、
前記編集用モニタを指示する前記ポインティングデバイスの指示位置情報を含む入力情報を取得する入力情報取得部と、
前記編集ツール画像に対応する位置情報と前記入力情報とに基づき、前記編集対象画像に対する編集処理を行う編集処理部と、を含む撮影画像編集システムとしてコンピュータを機能させるプログラムにおいて、
前記編集処理部は、前記表示領域毎に、
（i）編集開始時は、入力種別を「入力待機」と判定し、
（ii）前記入力種別が「入力待機」の場合、
前記入力情報が、サムネイル表示している編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「入力待機」を継続し、
（iii）前記入力種別が、「画像選択」の場合、
前記入力情報が、選択中の編集対象画像に対する入力のときは、入力種別を「画像選択」と判定して、当該画像に対応する編集対象画像を選択中とし、
前記入力情報が、前記編集ツール画像に対する入力のときは、入力種別を「編集選択」と判定し、当該入力情報に応じて編集処理の種類を選択し、
前記入力情報が、選択中の編集対象画像以外の編集対象画像に対する入力のときは、入力種別を「画像選択」と判定して、当該サムネイル表示画像に対応する編集対象画像を選択中とし、
（iv）前記入力種別が、「編集選択」の場合、
前記入力情報が、選択中の編集対象画像に対する入力のときは、入力種別を「編集中」と判定し、当該編集対象画像に対して、選択された種類の編集処理を実行し、
前記入力情報が、選択中の編集対象画像以外の編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「編集選択」と判定して、当該入力情報に応じて編集処理の種類を選択する処理を実行することを特徴とするプログラムに関する。
【００１７】
また本発明は、コンピュータ読み取り可能な情報記憶媒体であって、上記各部としてコンピュータを機能させるプログラムを記憶（記録）した情報記憶媒体に関する。
【００１８】
また本発明は、
前記ポインティングデバイス毎に、編集モニタの表示領域が設定され、前記複数の被写体画像に対応する複数の編集対象画像をサムネイル表示するためのサムネイル表示画像群と、前記編集対象画像に対して編集処理を指示するために用いる編集ツール画像とを前記表示領域に対応付けて表示する表示制御を行う表示制御ステップと、
前記編集用モニタを指示する前記ポインティングデバイスの指示位置情報を含む入力情報を取得する入力情報取得ステップと、
前記編集ツール画像に対応する位置情報と前記入力情報とに基づき、前記編集対象画像に対する編集処理を行う編集処理ステップと、を含む撮影画像編集システムの制御方法において、
前記編集処理ステップは、前記表示領域毎に、
（ｉ）編集開始時は、入力種別を「入力待機」と判定し、
（ii）前記入力種別が「入力待機」の場合、
前記入力情報が、サムネイル表示している編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「入力待機」を継続し、
（iii）前記入力種別が、「画像選択」の場合、
前記入力情報が、選択中の編集対象画像に対する入力のときは、入力種別を「画像選択」と判定して、当該画像に対応する編集対象画像を選択中とし、
前記入力情報が、前記編集ツール画像に対する入力のときは、入力種別を「編集選択」と判定し、当該入力情報に応じて編集処理の種類を選択し、
前記入力情報が、選択中の編集対象画像以外の編集対象画像に対する入力のときは、入力種別を「画像選択」と判定して、当該サムネイル表示画像に対応する編集対象画像を選択中とし、
（iv）前記入力種別が、「編集選択」の場合、
前記入力情報が、選択中の編集対象画像に対する入力のときは、入力種別を「編集中」と判定し、当該編集対象画像に対して、選択された種類の編集処理を実行し、
前記入力情報が、選択中の編集対象画像以外の編集対象画像に対する入力のときは、入力種別を「画像選択」と判定して、当該サムネイル表示画像に対応する編集対象画像を選択中とし、
前記入力情報が、前記編集ツール画像に対する入力のときは、入力種別を「編集選択」と判定して、当該入力情報に応じて編集処理の種類を選択する処理を実行することを特徴とする撮影画像編集システムの制御方法に関する。
【００１９】
ここにおいて撮影画像編集システムは、写真撮影画像編集システムや写真シール印刷装置でもよいし、撮影機能を搭載した情報機器（携帯電話等の携帯用通信機器や、携帯用ゲーム機や、携帯情報端末や、パーソナルコンピュータ等）でもよいし、例えば電子カメラ等の撮影画像編集システムでもよい。
【００２０】
入力情報は、１つのポインティングデバイスに対応したものでもよいし、複数のポインティングデバイスに対応したものでもよい。デジタイザを用いる場合は、専用のポインティングデバイスを用いるため、入力情報としては、位置情報に加え、ポインティングデバイスの識別情報も含まれる。
【００２１】
またサムネイル画像群から選択された編集対象画像は、拡大表示されるようにしてもよい。
【００２２】
複数の編集画像のサムネイル画像群は、１組表示される場合でもよいし、複数組表示される場合でもよい。編集用モニタでＮ人用の編集画面を提供する場合には、Ｎ組のサムネイル画像群を表示してもよい。編集対象画像はサムネイル画像群毎に設定されるようにしてもよい。従ってＮ組のサムネイル画像群が表示されている場合には、Ｎ組のサムネイル画像群それぞれに対応した編集対象画像が設定されるようにしてもよい。
【００２３】
本発明によれば、サムネイル画像群が編集可能な編集用モニタにおいて、一般的な編集作業の流れそった入力インターフェースでありながら、サムネイル画像がタッチされた場合に編集入力であるのか選択入力であるのか判断可能な使い勝手のよい入力インターフェースを提供することができる。
【００２４】
編集用モニタに入力がどのユーザによるものなのか識別できないデバイスを用いた場合であっても、編集画面に表示されたサムネイル画像に対する編集入力と拡大入力を識別可能であるため、編集用モニタのコストを抑えることができる。
【００２５】
（２）この撮影画像編集システム、プログラム、情報記憶媒体及び撮影画像編集システムの制御方法において、
前記表示制御部は、
前記入力情報が、サムネイル表示画像に対する入力で、かつ、サムネイル表示を拡大するための所定の入力のときは、当該サムネイル表示画像を拡大表示してもよい。
【００２６】
（３）この撮影画像編集システム、プログラム、情報記憶媒体及び撮影画像編集システムの制御方法において、
編集開始時に、前記サムネイル表示画像群のうち、何れか一つを編集対象画像として選択し、前記入力種別を「画像選択」と判定してもよい。
【００２７】
このようにすると、編集開始時には、まず編集対象画像を選択することになるが、これば一般的なユーザの行動傾向とマッチしているので、わかりやすいインターフェースを提供することができる。
【００２８】
（４）この撮影画像編集システム、プログラム、情報記憶媒体及び撮影画像編集システムの制御方法において、
前記入力情報取得は、
前記編集対象画像に対していずれかのポインティングデバイスの接触が継続している場合には、当該編集対象画像に対する他のポインティングデバイスの入力を受け付けないようにしてもよい。
【００２９】
（５）この撮影画像編集システム、プログラム、情報記憶媒体及び撮影画像編集システムの制御方法において、
前記入力情報取得部は、
前記サムネイル画像に対して複数のポインティングデバイスの入力情報が競合した場合には、先に入力された入力情報を、当該サムネイル画像に対する有効な入力情報としてもよい。
【図面の簡単な説明】
【００３０】
【図１】写真印刷装置（撮影画像編集システムの一例）の外観の一例を示す斜視図。
【図２】写真印刷装置（撮影画像編集システムの一例）の外観の一例を示す斜視図。
【図３】撮影画像編集システムのブロック図の一例。
【図４】編集インターフェース画像例。
【図５】ユーザの編集手順について説明する図。
【図６】ユーザの編集手順について説明する図。
【図７】ユーザの編集手順について説明する図。
【図８】ユーザの編集手順について説明する図。
【図９】図９（Ａ）（Ｂ）は、編集入力のキャンセル機能について説明するための図。
【図１０】拡大対象選択ツール画像表示機能について説明するための図。
【図１１】編集インターフェース画像の他の例について説明する図。
【図１２】編集処理の流れを示すフローチャート。
【図１３】入力種別判定処理の流れを示すフローチャート。
【図１４】入力判定の手法について説明する図。
【発明を実施するための形態】
【００３１】
以下、本発明の好適な実施の形態について図面を用いて説明する。
【００３２】
１．撮影画像編集システムの構成
１−１．外観図 
図１は、本実施形態の撮影画像編集システムＰＭ（画像印刷装置の一例）の外観の一例を示す斜視図である。図１は、本実施形態の撮影画像編集システムＰＭのシートＳＴを取り除いた状態の外観を、第１の編集操作受付部ＥＭ１の前面が右正面となるように示した斜視図である。図１に示すように、本実施形態の撮影画像編集システムＰＭは、撮像部ＣＭと、編集操作受付部（編集入力入力部の一例）ＥＭ（ＥＭ１、ＥＭ２）と、写真シール提供部ＰＢとを有する。
【００３３】
図２では、本実施形態の撮影画像編集システムＰＭを覆うシートと撮影部の筐体の一部を取り除いた状態の外観を、撮像部ＣＭの前面が右正面となるように示した斜視図である。図２に示すように撮像部ＣＭの前面上部には、撮像領域ＣＡに位置するユーザの画像を撮像するカメラＣＲが設けられている。カメラＣＲは、例えばＣＣＤカメラ、Ｃ−ＭＯＳカメラ、又はビデオカメラなどにより実現できる。カメラＣＲは、被写体を正面方向から撮影するもので、撮像部として機能する。
【００３４】
また撮像部ＣＭの前面上部から中部には、撮像領域ＣＡに位置するユーザを照明する撮像用照明部ＣＬが設けられている。この撮像用照明部ＣＬは、カメラＣＲがユーザの画像の撮像を開始した場合に点灯するように制御される。そして、カメラＣＲがユーザの画像を撮像している間、ユーザを照明し続けるように制御される。
【００３５】
また撮像部ＣＭの前面中部には、撮像領域ＣＡに位置するユーザに対して、カメラＣＲが撮像している画像を表示する撮像用モニタＣＭＮ（表示部の一例）が設けられている。本実施形態ではカメラＣＲが画像の撮像を開始すると、撮像用モニタＣＭＮは、撮像領域ＣＡに位置するユーザの画像をリアルタイムの動画として表示する。これによりユーザは、カメラＣＲが撮像しているユーザの画像を撮像用モニタＣＭＮにより確認することができる。撮像用モニタＣＭＮは、ユーザの視点から見下ろす高さに、ユーザに対してその表示画面がほぼ正対するように、筺体に取り付けられている。カメラＣＲで撮影された映像は、撮像用モニタＣＭＮに表示され、ユーザはこの撮像用モニタＣＭＮに表示された映像を見て自身のポーズが適当か否かを確認することができる。
【００３６】
また撮像用モニタＣＭＮは、接触位置を検出できるタッチセンサパネルが積層されたタッチパネル式モニタにより構成されており、ユーザが撮像用モニタＣＭＮを触ることにより操作入力を行うことができる。
【００３７】
そして、ユーザの画像の撮像が開始されてから所定時間が経過すると、ユーザの画像の撮像を終了する。そして、撮像領域ＣＡに位置するユーザに対して、第１の編集操作受付部ＥＭ１の前側の領域である編集領域ＥＡ１、又は第２の編集操作受付部ＥＭ２の前側の領域である編集領域ＥＡ２のいずれかに移動する案内を行う。なお、いずれに移動するかを特定して案内を行ってもよいし、特定せずに案内してもよい。
【００３８】
図１に示す第１の編集操作受付部ＥＭ１、第２の編集操作受付部ＥＭ２は、上述した撮
像部ＣＭにおいて画像を撮像したユーザが、撮像した画像を編集するための操作を行うためのものであり、上述した撮像部ＣＭとは異なる位置に設けられている。第１の編集操作受付部ＥＭ１、第２の編集操作受付部ＥＭ２は、編集操作を行っているユーザが周囲から見えないように、図示しないシートで周囲が覆われるようにしてもよい。特に本実施形態では編集操作受付部ＥＭとして、第１の編集操作受付部ＥＭ１と第２の編集操作受付部ＥＭ２とが設けられている。
【００３９】
図１に示すように第１の編集操作受付部ＥＭ１の前面中央部には、第１の編集操作受付部ＥＭ１の前側の領域である編集領域ＥＡ１に位置するユーザに対して、シールに印刷する静止画として決定した画像を表示しつつ、表示した画像を編集するための操作を受け付けるタッチパネル式の編集用モニタＥＭＮが設けられている。
【００４０】
本実施形態では、編集用モニタＥＭＮの左右にそれぞれタッチペンＴＰが用意されており、ユーザはタッチペンＴＰの先端を編集用モニタＥＭＮの任意の位置に接触させることにより、決定した画像に合成する線図を描き、模様や図柄のテンプレート（スタンプ画像）を選択してこれを画像に配置して、シールに印刷する静止画を編集する。
【００４１】
なお、本実施形態では、図１に示す第１の編集操作受付部ＥＭ１の背面側に、第１の編集操作受付部ＥＭ１と同様の構成を有する第２の編集操作受付部ＥＭ２が設けられ、第２の編集操作受付部ＥＭ２の前側の領域である編集領域ＥＡ２に位置するユーザに対して、シールに印刷する静止画として決定した画像を表示しつつ、表示した画像を編集するための操作を受け付ける。
【００４２】
そして、画像の編集操作の受け付けが開始されてから所定時間が経過するか、ユーザの操作により編集操作の終了が選択されると、画像の編集操作の受け付けを終了する。そして、編集領域ＥＡ１又は編集領域ＥＡ２に位置するユーザに対して、写真シール提供部ＰＢの前側の領域である取出領域ＰＡに移動するように案内する。
【００４３】
そして図１に示すように、第１の編集操作受付部ＥＭ１の一方の面（撮影空間とは逆側の側の面）には、編集された画像をシールに印刷した写真シール（印刷物の一例）をユーザに提供する写真シール提供部ＰＢが設けられている。本実施形態では、取出領域ＰＡに位置するユーザに対して写真シールを提供するように、写真シール提供部ＰＢの前面に写真シール取出口ＰＯが設けられている。
【００４４】
１−２．機能ブロック図
図３は、本実施形態の撮影画像編集システムＰＭのブロック図の一例である。なお、撮影画像編集システムＰＭは、図３の構成要素（各部）を全て含む必要はなく、その一部を省略した構成としてもよい。 
【００４５】
撮像部１９８は、被写体を撮影するためのもので、図２のＣＲに相当し、例えばＣＣＤカメラ、ＣＭＯＳカメラ、又はビデオカメラなどにより実現できる。
【００４６】
操作部１６０（ポインティングデバイス、レバー、ボタン等）は、ユーザが編集用コンテンツ選択メニューの選択操作や編集操作を行うためのものである。
【００４７】
記憶部１７０（ＲＡＭ）は、処理部１００や通信部１９６などのワーク領域となるものである。
【００４８】
情報記憶媒体１８０（ＣＤ、ＤＶＤ、ＨＤＤ、ＲＯＭなどのコンピュータにより読み取り可能な媒体）は、プログラムやデータなどを格納するものである。この情報記憶媒体１８０には、本実施形態の各部としてコンピュータを機能させるためのプログラム（各部の
処理をコンピュータに実行させるためのプログラム）が記憶される。
【００４９】
ディスプレイ１９０は画像を表示するものであり、例えば図２の撮像用モニタＣＭＮや編集用ディスプレイ等である。
【００５０】
撮像用モニタＣＭＮには、タッチパネルが用いられ、ディスプレイに表示された入力用のボタンに、ユーザが指を接触させることにより、各種指示入力（例えばコラージュ背景の選択や撮影モードの選択等）を行うことができるように構成されている。
【００５１】
編集用ディスプレイとしても、タッチパネルが用いられ、タッチペンＴＰ（ポインティングデバイスの一例）の先端をディスプレイ表面に接触させ、文字や図形を描くことにより手書き画像を入力できるようになっている。また予め用意された星マークやハートマーク等のスタンプ画像を選択して、タッチペンＴＰの先端をディスプレイ表面に接触させることによりスタンプ画像を入力できるようになっている。
【００５２】
音出力部１９２は音声、ゲーム音などの音を出力するものである。例えば案内処理部の行う編集入力部への移動案内のための音声メッセージを出力してもよい。
【００５３】
携帯型情報記憶装置１９４は、ユーザの個人データや編集用のセーブデータなどが記憶されるものである。
【００５４】
印刷部１９５は、撮影された画像を印刷媒体（シール紙、印画紙、プラスチック板又は記録層）に画像を印刷する処理を行う。この場合の印刷方式としては昇華型、熱転写型、インクジェット方式、レーザプリント方式などの種々の方式がある。また印刷用のプリンタとしては、インクジェット式プリンタ、レーザープリンタ、昇華型プリンタ、熱転写型プリンタ、溶融型プリンタ、サーマルプリンタ、印画紙プリンタ、インスタントフィルムプリンタ等を用いるようにしてもよい。
【００５５】
印刷部１９５は、撮影空間及び複数の編集入力部とは異なる位置に設けられ、編集後の被写体の画像を提供画像として、提供画像の印刷及び送信の少なくとも一方の処理を行う提供画像出力部として機能する。
【００５６】
処理部１００（プロセッサ）は、操作部１６０からの操作データやプログラムなどに基づいて、ゲーム処理、画像生成処理、或いは音生成処理などの各種の処理を行う。この場合、処理部１００は、記憶部１７０内の主記憶部１７２をワーク領域として使用して、各種の処理を行う。この処理部１００の機能は、各種プロセッサ（ＣＰＵ、ＤＳＰ等）又はＡＳＩＣ（ゲートアレイ等）などのハードウェアや、プログラム（ゲームプログラム）により実現できる。
【００５７】
処理部１００は、背景抜き取り画像生成部１１０、確認画像表示制御部１１２、表示制御部１１４、画像取り込み制御部１１６、入力情報取得部１１８、編集処理部１２０、画像生成部１３０、音生成部１４０を含む。
【００５８】
背景抜き取り画像生成部１１０は、所定の色（背景色）を背景として撮影された撮影画像から所定の色（背景色）を抜き取る処理を行う。所定の色（背景色）の抜き取り処理は、例えばクロマキー処理で実現してもよいし、マスク処理で実現してもよい。
【００５９】
クロマキーとは画像の中からある特定色（例えば背景色）をもつ領域を抜き出し、そこに他の画像を埋め込む手法である。なお、他の画像を埋め込む手法としては、特定色をもつ領域のα値（透明度を表す値とする）を１にして、他の画像と半透明合成（例えばαブ
レンディング処理）を行うことにより実現することができる。 
【００６０】
マスク処理とは画像の特定の領域（本発明の場合には背景色の領域）の画素値をすべて１にして、他の部分をすべて０にしたマスク画像を作成し、このマスク画像の０の部分には画像Ａを、マスク画像の１の部分には画像Ｂを埋め込むことにより両画像を合成する手法である。
【００６１】
確認画像表示制御部１１２は、撮像部１９８によって撮影された撮影画像に対応した確認画像をリアルタイムに表示部に動画像表示させる処理を行う。画像取り込み制御部１１６は、撮影中に発生する取り込みタイミングにおける確認画像に対応した画像を取り込み画像として記憶部に記憶させる制御を行う。
【００６２】
また確認画像表示制御部１１２は、確認画像として、撮像部によって撮影された被写体の撮影画像から背景を抜き取った背景抜き取り画像と所与の背景画像を合成した合成画像をリアルタイムに生成し、画像取り込み制御部１１６は、撮影中に発生する取り込みタイミングにおける確認画像に対応した合成画像を取り込み画像として記憶させてもよい。
【００６３】
表示制御部１１４は、前記ポインティングデバイス毎に、編集モニタの表示領域が設定され、前記複数の被写体画像に対応する複数の編集対象画像をサムネイル表示するためのサムネイル表示画像群と、前記編集対象画像に対して編集処理を指示するために用いる編集ツール画像とを前記表示領域に対応付けて表示する表示制御を行う。
【００６４】
入力情報取得部１１８は、前記編集用モニタを指示する前記ポインティングデバイスの指示位置情報を含む入力情報を取得する。
【００６５】
編集処理部１２０は、前記編集ツール画像に対応する位置情報と前記入力情報とに基づき、前記編集対象画像に対する編集処理を行う用抗生され、前記表示領域毎に、（ｉ）編集開始時は、入力種別を「入力待機」と判定し、（ii）前記入力種別が「入力待機」の場合、前記入力情報が、サムネイル表示している編集対象画像に対する入力のときは、入力種別を「画像選択」と判定して、当該サムネイル表示画像に対応する編集対象画像を選択中とし、前記入力情報が、前記編集ツール画像に対する入力のときは、入力種別を「入力待機」を継続し、（iii）前記入力種別が、「画像選択」の場合、前記入力情報が、選択中の編集対象画像に対する入力のときは、入力種別を「画像選択」と判定して、当該画像に対応する編集対象画像を選択中とし、前記入力情報が、前記編集ツール画像に対する入力のときは、入力種別を「編集選択」と判定し、当該入力情報に応じて編集処理の種類を選択し、
前記入力情報が、選択中の編集対象画像以外の編集対象画像に対する入力のときは、入力種別を「画像選択」と判定して、当該サムネイル表示画像に対応する編集対象画像を選択中とし、（iv）前記入力種別が、「編集選択」の場合、前記入力情報が、選択中の編集対象画像に対する入力のときは、入力種別を「編集中」と判定し、当該編集対象画像に対して、選択された種類の編集処理を実行し、前記入力情報が、選択中の編集対象画像以外の編集対象画像に対する入力のときは、入力種別を「画像選択」と判定して、当該サムネイル表示画像に対応する編集対象画像を選択中とし、前記入力情報が、前記編集ツール画像に対する入力のときは、入力種別を「編集選択」と判定して、当該入力情報に応じて編集処理の種類を選択する処理を実行する。
【００６６】
また表示制御部１１４は、前記入力情報が、サムネイル表示画像に対する入力で、かつ、サムネイル表示を拡大するための所定の入力のときは、当該サムネイル表示画像を拡大表示してもよい。
【００６７】
編集処理部１２０は、編集開始時に、前記サムネイル表示画像群のうち、何れか一つを編集対象画像として選択し、前記入力種別を「画像選択」と判定してもよい。
【００６８】
また入力判定部１１８は、編集対象画像に対していずれかのタッチペンＴＰの接触が継続している場合には、当該編集対象画像に対する他のタッチペンＴＰの入力を受け付けないようにしてもよい。
【００６９】
また入力判定部１１８は、サムネイル画像に対して複数のタッチペンＴＰの入力情報が競合した場合には、先に入力された入力情報を、当該サムネイル画像に対する有効な入力情報としてもよい。
【００７０】
編集処理部１２０は、操作部１６０からの編集用の入力情報等に基づき、取り込まれた画像に対して編集処理を行う。編集処理部１２０は、撮影画像又は合成画像と、これらのいずれかに対応して生成された提供画像を編集用の画像として提供し、所与の編集処理を行うようにしてもよい。
【００７１】
画像生成部１３０は、撮影や編集の結果に基づいて画像を生成し、ディスプレイ１９０に出力する。
【００７２】
音生成部１４０は、処理部１００で行われる種々の処理の結果に基づいて音処理を行い、ＢＧＭ、効果音、又は音声などのゲーム音を生成し、音出力部１９２に出力する。
【００７３】
通信部１９６は、インターネットなどのネットワークを介してデータを送信又は受信する処理を行う。より具体的には、通信部１９６は、カメラの撮影画像により生成されたデータを、ネットワークを介して外部のサーバなどに送信する。このようにすればユーザ（被写体）は、自身が被写体となっている画像のデータを、自分の家のパーソナルコンピュータにサーバからダウンロードすることが可能になる。そしてダウンロードした画像データに基づいて、自分の家のプリンタを用いて、紙やシールに画像を印刷して出力することが可能になる。またユーザが撮影した画像をサーバに保存しておき、撮影画像編集システムにダウンロードして印刷して出力することも可能である。
【００７４】
この通信部１９６の機能は、例えば通信用のデバイス（ＩＣ）などのハードウェアや、通信用のプログラムなどにより実現できる。なお、印刷部１９５、通信部１９６のいずれか一方を設けない構成としてもよい。
【００７５】
なお、本実施形態の撮影画像編集システムは、固定された筐体である装置でもよいし、携帯用の装置でもよい。 また本実施形態の撮影画像編集システムを、ユーザの撮影画像をゲームに使用するようなタイプのゲーム装置に利用することも可能である。即ち本実施形態の撮影画像編集システムを、ゲーム装置の画像取り込み装置として機能させることも可能である。
【００７６】
２．処理
２−１．編集インターフェース画像
本実施形態の撮影画像編集システムに備えられた撮像部で撮影され、または、他の撮影機器や記録メディアから受け取った複数の被写体画像に対応する複数の編集画像が１又は複数のユーザに提供され、１又は複数のユーザは、複数の編集画像に対して編集作業を行うことができる。なお、複数の編集画像は、撮影された被写体画像そのものでもよいし、出力先の媒体に応じて適宜、拡大縮小変形などを加えた画像や被写体のみを切り取った画像でもよい。
【００７７】
複数の編集画像はサムネイル画像や拡大画像として編集用モニタに表示され、ユーザは編集用モニタに表示されたサムネイル画像や拡大画像に対して編集入力を行う。
【００７８】
図４は、編集用モニタに表示される編集インターフェース画像例である。図４では、編集用モニタに２人用の編集画面３００が表示され、２人のユーザが並行して編集作業を行うことが可能な場合を例にとり説明する。
【００７９】
編集インターフェース画像３００は、編集用モニタに向かって右側（第１の側の一例）のエリア３５０Ｒと、編集用モニタに向かって左側（第２の側の一例）のエリア３５０Ｌに分かれている。右側のエリア３５０Ｒの前に立って編集作業を行うユーザ（第１のユーザ）は第１のタッチペン（ポインティングデバイスの一例）３１０−１を用い、左側のエリア３５０Ｌの前に立って編集作業を行うユーザ（第２のユーザ）は第２のタッチペン（ポインティングデバイスの一例）３１０−２を用いて、編集用モニタ（タッチパネル等で構成されている）に対してタッチ入力による編集作業を行う。
【００８０】
編集用モニタには、タッチパネルを採用しているため、第１のタッチペン３１０−１による入力か、第２のタッチペン３１０−２による入力かを識別できない。
【００８１】
編集用モニタにより検出される入力情報は、少なくともタッチペンＴＰ（第１のタッチペン３１０−１、第２のタッチペン３１０−２）の編集用モニタに対する指示位置情報を含む。
【００８２】
編集インターフェース画像３００に対して向かって右側（第１の側の一例）のエリア３５０Ｒには、第１の拡大画像表示領域３２０−１、第１のサムネイル画像群３３０−１、第１の編集ツール画像３４０−１（第１の編集パレット３４２−１を含む）が表示され、向かって左側（第２の側の一例）のエリア３５０Ｌには、第２の拡大画像表示領域３２０−２、第２のサムネイル画像群３３０−２、第２の編集ツール画像３４０−２（第２の編集パレット３４２−２を含む）が表示される。
【００８３】
第１のサムネイル画像群３３０−１、第２のサムネイル画像群３３０−２は、撮像部から提供された複数の被写体画像に対応した編集中の編集画像のサムネイル画像である。第１の拡大画像表示領域３２０−１、第２の拡大画像表示領域３２０−２は、第１のサムネイル画像群３３０−１、第２のサムネイル画像群３３０−２のいずれかのサムネイル画像の拡大画像が表示される領域である。
【００８４】
第１の編集ツール画像３４０−１（第１の編集パレット３４２−１を含む）、第２の編集ツール画像３４０−２（第２の編集パレット３４２−２を含む）は、編集画像（拡大画像やサムネイル画像）に対する各種編集機能を指定するための画像である。例えば落書き機能やスタンプ貼り付け機能等の機能に対応したボタン等の画像（第１の編集パレット３４２−１、第２の編集パレット３４２−２）を含む。例えばユーザが、編集画像に落書きする編集を行う場合には、まず編集パレット（複数の落書きペンに対応するボタンが用意されている）の所望の落書きペンのボタンをタッチして、使用する落書きペン機能を確定する。そして、編集用モニタに表示された拡大画像やサムネイル画像上でタッチペンＴＰのタッチ位置を移動させると、拡大画像やサムネイル画像に対して選択した落書きペンに機能に対応した落書きを行うことができる。
【００８５】
２−２．編集インターフェース画像を用いた編集手順
次に、図５〜図８を用いて、本実施の形態におけるユーザの編集手順について説明する。
【００８６】
図５は、編集開始時の編集インターフェース画像例である。
【００８７】
編集開始時に、ｎ枚の被写体画像に対応するｎ枚の編集画像が提供される。
【００８８】
ｎ枚の編集画像群は、第１のサムネイル画像群３３０−１、第２のサムネイル画像群３３０−２としてサムネイル表示されている。（第１のサムネイル画像群３３０−１、第２のサムネイル画像群３３０−２としてサムネイル群には同じ編集対象画像が表示されている）。
【００８９】
編集開始時には、第１の拡大画像表示領域３２０−１、第２の拡大画像表示領域３２０−２には拡大画像は表示されていない（編集開始時には第１のサムネイル画像群３３０−１と第２のサムネイル画像群３３０−２のいずれにも編集対象画像が選択されていない状態にすることに相当）。このような場合、例えば２２８−１に示すようなガイダンスメッセージを表示してもよい。第１のユーザ、第２のユーザは、それぞれ第１のサムネイル画像群３３０−１、第２のサムネイル画像群３３０−２から拡大する画像（編集対象画像に相当）を選択することができる。
【００９０】
また第１の編集ツール画像３４０−１（第１の編集パレット３４２−１を含む）及び第２の編集ツール画像３４０−２（第２の編集パレット３４２−１を含む）も非選択状態である（３４６−１、３４６−２参照）。編集ツール画像は、ユーザが選択しない限り非選択状態となっている。ユーザは編集対象画像を選択（ここでは拡大する画像を選択した場合）したのち  第１の編集ツール画像３４０−１又は第２の編集ツール画像３４０−２をタッチすると、タッチした第１の編集ツール画像３４０−１又は第２の編集ツール画像３４０−２が選択状態となる（編集ツール画像に対応する編集機能が選択状態となることに相当）。なお、ユーザが編集対象画像を選択していない状態で編集ツール画像をタッチしても編集機能を選択することはできない。なお、選択ツール画像が非選択状態にある場合には、選択状態にある場合と異なる表示態様で表示するようにしてもよい。
【００９１】
図６は、拡大画像の選択例について説明するための図である。
【００９２】
ユーザがサムネイル画像群（図５の第１のサムネイル画像群３３０−１、第２のサムネイル画像群３３０−２）のいずれかのサムネイル画像を選択する（タッチペンＴＰでタッチする）と、サムネイル画像５００に選択枠５１０がつき、フリック誘導矢印５２０がアニメーションする表示制御が行われる。ユーザがタッチし続けている間はフリック誘導矢印５２０を表示する。ペンアップするとフリック誘導矢印５２０は消え、サムネイル画像５１０のそばに拡大されていることを示す矢印５２２を表示してもよい。サムネイル画像５００の拡大画像はサムネイル画像が属するサムネイル画像群（ここでは３３０−１）に対応する拡大画像表示領域（ここでは３２０−１）に表示される。
【００９３】
なお、サムネイル画像を選択するだけで（編集対象画像に指定することに相当）、拡大しないインターフェースを設けてもよい。例えばサムネイル画像に対する選択入力にフリック入力以外の入力態様（例えば単なるタッチ入力）を設け、当該入力態様の入力が行われた場合には、サムネイル画像が選択されているが拡大表示されない（編集対象画像であるが拡大表示されない状態）にしてもよい。この場合は、サムネイル画像は、元の位置に位置したまま選択枠をつけた状態で表示してもよい。このようにすると、拡大表示されないサムネイル画像についても、編集入力を行うことができる。
【００９４】
図７は、第１のユーザがサムネイル画像３７６を選択して拡大し、第２のユーザがサムネイル画像３６３を選択して選択して拡大した時の編集インターフェースの画像例である。第１の拡大画像表示領域３２０−１にはサムネイル画像３７６の拡大画像３２２−１が
表示され、サムネイル画像３７６が拡大されていることを示す矢印５２２−１が表示されている。また第２の拡大画像表示領域３２０−２にはサムネイル画像３６３の拡大画像３２２−２が表示され、サムネイル画像３６３が拡大されていることを示す矢印５２２−２が表示されている。
【００９５】
また、ユーザによって選択され拡大画像が生成さているサムネイル画像（編集対象画像に対応するサムネイル画像）３６３、３６６、３７３、３７６は、編集できないよう構成する。表示されていても編集不可能な状態にしてもよいし、サムネイル画像を表示しないようにしてもよい。これにより同じ編集画像が、同時に複数のユーザの編集されるのを防止することができる。
【００９６】
なお、第１の編集ツール画像３４０−１（第１の編集パレット３４２−１を含む）及び第２の編集ツール画像３４０−２（第２の編集パレット３４２−１を含む）は非選択状態である（３４６−１、３４６−２参照）。
【００９７】
但し、この時点では編集対象画像（ここでは拡大画像）が選択されているので、ユーザが第１の編集ツール画像３４０−１（第１の編集パレット３４２−１を含む）及び第２の編集ツール画像３４０−２（第２の編集パレット３４２−１を含む）の所望の落書き機能のボタン３４６−１にタッチすると、編集ツール画像がアクティブ状態（編集機能が選択状態に想到）になる。
【００９８】
図８は、編集ツールを利用して落書きを行っている時の編集インターフェースの画像例である。落書き編集ボタン３４６にタッチしたあと、ユーザが編集用モニタに表示された拡大画像３２２−１でタッチペンＴＰのタッチ位置を移動させると、移動軌跡に沿って落書き編集ボタン３４６に対応したペンタッチの落書き画像３９０が表示される。
【００９９】
なお、落書き画像が表示されるのはユーザがタッチペンＴＰをペンアップしたタイミングでもよいし、タッチペンＴＰを接触したまま移動させている際にタッチペンＴＰに追従させて落書き画像を表示してもよい。
【０１００】
２−３．入力判定手法
次に本実施の形態の入力判定手法について説明する。
【０１０１】
本実施の形態では、図６で説明したようにサムネイル画像群のサムネイル画像を選択して拡大表示することができる（編集対象選択入力に相当）。またサムネイル画像群（例えば第１のサムネイル画像群や第２のサムネイル画像群）に対しても所定の条件下（編集対象画像に設定されている場合）には編集入力を行うことができる。このようにサムネイル画像に対しては、編集対象選択入力と編集入力のいずれも行うことができるため、システムでは、サムネイル画像に対して行われた入力が編集対象選択入力であるか編集入力であるかの入力判定を行う。
【０１０２】
本実施の形態では、タッチペンＴＰによって指示された画像が編集対象画像ではないサムネイル画像である場合には、入力種別はサムネイル画像に対する編集対象選択入力であると判定する。本実施の形態では編集開始時には、編集対象画像を未設定にしているので、図５の第１のサムネイル画像群３３０−１のサムネイル画像３７１〜３７６や第２のサムネイル画像群３３０−２のサムネイル画像３６１〜３６６は、編集対象画像ではないサムネイル画像に相当する。従って図５において、これらのサムネイル画像が指示された場合には、入力種別はサムネイル画像に対する編集対象選択入力であると判定する。
【０１０３】
また、例えば図８のように、拡大画像表示領域に表示された拡大画像を編集中の場合に
は、第１のサムネイル画像群３３０−１のサムネイル画像であって拡大画像になっていない画像３７１、３７２、３７４、３７５、３７１、第２のサムネイル画像群３３０−２のサムネイル画像であって拡大画像になっていない画像３６１、３６２、３６４、３６５、３６１が、編集対象画像ではないサムネイル画像に相当する。従って図５において、これらのサムネイル画像が指示された場合には、入力種別はサムネイル画像に対する編集対象選択入力であると判定し、編集対象画像が現在編集中の画像（拡大画像表示領域に表示された拡大画像に対応する編集画像）から選択されたサムネイル画像に切り替わる。
【０１０４】
また本実施の形態では、タッチペンＴＰによって指示された画像が編集対象画像である場合には、入力種別は編集対象画像に対する編集入力であると判定する。例えば図８において、第１の拡大画像表示領域３２０−１に表示されている拡大画像に対応する編集画像が編集対象画像である。従って図５において、タッチペンＴＰで拡大画像３２２−１が指示されればこれが編集入力となる。
【０１０５】
また本実施の形態では、タッチペンＴＰによって指示された画像が、編集ツール画像である場合には、編集ツール画像に対応付けられた編集対象画像が選択されていれば、入力種別は編集ツール選択入力であると判定する。
【０１０６】
例えば図８において、編集対象画像が選択されている状態であるので、編集ツール画像のペンボタン３４６がタッチされた場合に、入力種別は編集ツール選択入力であると判定する。
【０１０７】
また本実施の形態では、入力種別が、編集ツール選択入力である場合には、編集ツール画像を選択状態にし、入力種別がサムネイル画像に対する編集対象選択入力である場合には、編集ツール画像を非選択状態に設定する。例えば図８においては、編集ツール画像の選択ボタンのタッチ入力が編集ツール選択入力であるため、この時点では編集ツールは選択状態となっている。ところが、図８において、第１のサムネイル画像群３３０−１のサムネイル画像であって拡大画像になっていない画像３７１、３７２、３７４、３７５、第２のサムネイル画像群３３０−２のサムネイル画像であって拡大画像になっていない画像３６１、３６２、３６４、３６５が指示された場合には、入力種別はサムネイル画像に対する編集対象選択入力であると判定されるので、編集ツール画像を非選択状態に設定する。すると、図７に示すような、編集対象画像は選択されているが、編集ツール画像が非選択状態の画像に遷移する。従ってユーザは、切り替えた拡大画像に対して再度編集ツール画像を選択して編集を行うことになるが、これは、最初に画像を選択して、次に編集するという一般的な編集作業の流れに沿ったものであるため、ユーザにとって使いがってのよいインターフェースである。
【０１０８】
図１４は、入力判定の手法について説明する図である。編集作業中に発生するタッチ入力等のイベントに対する入力判定と、編集対象画像の選択状態（選択／非選択）、編集ツール画像の選択状態（選択／非選択）の状態遷移を示している。
【０１０９】
編集開始時には、編集対象画像の選択状態は「非選択」、編集ツール画像の選択状態は「非選択」に設定している（ｉ１）。
【０１１０】
この状態で、サムネイル画像がタッチされると（図５）、サムネイル画像に対する編集対象選択入力と判定する。そして、編集対象画像の選択状態が「非選択」から「選択」に切り替わる。編集ツール画像の選択状態は「非選択」のままである（ｉ２）。
【０１１１】
この状態で編集ツール画像がタッチされると（図７）、編集ツール選択入力と判定する。そして、編集対象画像の選択状態が「選択」のままである。しかし編集ツール画像の選
択状態は「非選択」から「選択」に切り替わる（ｉ３）。
【０１１２】
この状態で編集対象画像がタッチされると（図８）、編集入力と判定する。編集対象画像の選択状態は「選択」のままで、編集ツール画像の選択状態も「選択」のままである（ｉ４）。
【０１１３】
この状態でサムネイル画像（編集対象画像でないサムネイル画像）がタッチされると（図８）、編集対象選択入力と判定する。編集対象画像の選択状態は「選択」のままで、編集ツール画像の選択状態は「選択」から「非選択」に切り替わる（ｉ５）。
【０１１４】
２−４．編集入力のキャンセル機能
上記実施の形態では、ユーザがサムネイル画像を拡大して拡大画像に編集を行う場合について説明したが、図６で説明したように、サムネイル画像を選択するだけで拡大しない構成も採用可能である。このような場合には、編集対象画像であるが拡大表示されないサムネイル画像についても、ユーザは編集入力を行うことができる。
【０１１５】
図９（Ａ）（Ｂ）は、編集入力のキャンセル機能について説明するための図である。
【０１１６】
本実施の形態では、サムネイル画像を編集中のユーザが所定の条件を満たす入力を行った場合に、現在編集中のコンテンツ（落書きの線やスタンプ等）をキャンセルして、当該サムネイル画像を拡大表示することができる。
【０１１７】
所定の条件を満たす入力とは、例えば編集入力中のタッチペンＴＰの接触位置の移動軌跡のパターンが、拡大対象選択入力のタッチペンＴＰの接触位置の移動軌跡のパターンと一致すると判定した場合でもよい。拡大対象選択入力のタッチペンＴＰの接触位置の移動軌跡のパターンは、例えば図９（Ａ）の移動軌跡４６０のように、接触位置がサムネイル画像４５０の内４６２からサムネイル画像４５０の外４６４に向かって（例えば略水平方に）スライド移動するパターン（例えばフリック入力のパターン）でもよい。
【０１１８】
図９（Ｂ）の４３０−１は、時刻ｔ１から時刻ｔ２におけるタッチペンＴＰの移動軌跡であり、４３０−２は時刻ｔ２から時刻ｔ３におけるタッチペンＴＰの移動軌跡である。時刻ｔ１にサムネイル画像４１０の点Ｐ１に接触したタッチペンＴＰが、４３０−１に示すような軌跡を描いて時刻ｔ２に点Ｐ２に到達した場合、時刻ｔ２において、編集用モニタに表示されたサムネイル画像４１０’には、時刻ｔ１〜時刻ｔ２のタッチペンＴＰの移動軌跡４３０−１に対応した落書き画像４４０が表示されている。
【０１１９】
その後、タッチペンＴＰは４３０−２に示すような移動軌跡を描いて時刻ｔ３にＰ３に到達した場合、時刻ｔ２〜時刻ｔ３の移動軌跡４３０−２は、図９（Ａ）に示すような拡大対象選択入力のタッチペンＴＰの接触位置の移動軌跡４６０のパターンと一致するので、サムネイル画像４１０への編集入力はキャンセルされる。従って時刻ｔ３において、編集用モニタに表示されたサムネイル画像４１０’では、落書き画像４４０は消去される。そして、編集入力をキャンセルした後、サムネイル画像は拡大表示される。
【０１２０】
このキャンセル機能により、本来は拡大対象選択入力ができないサムネイル画像群のサムネイル画像についても拡大表示することが可能になり、拡大表示した画像について編集作業を行うことができるようになる。
【０１２１】
例えば図４において、サムネイル画像群３３０−２のサムネイル画像３６１が編集対象画像である場合、編集中に図６（Ｂ）で説明したようにサムネイル画像３６１の中から外への接触位置を移動させるフリック入力を行った場合には編集入力をキャンセルして、サ
ムネイル画像を３６１の拡大画像を第１の拡大画像表示領域３２０−１に表示させて、編集入力を行うことができる。
【０１２２】
なお、編集入力をキャンセルした後、サムネイル画像の拡大表示はせずに、編集入力がキャンセルされるだけの場合も本発明の範囲内である。
【０１２３】
２−５．拡大対象選択ツール画像表示機能
図１０は、拡大対象選択ツール画像表示機能について説明するための図である。
【０１２４】
３３２−１は第１の拡大対象選択ツール画像であり、３３２−２は第２の拡大対象選択ツール画像である。第１の拡大対象選択ツール画像３３２−１は、第１のサムネイル画像群３３０−１（サムネイル画像３７１〜３７６）に対応付けて表示されている。第１の拡大対象選択ツール画像３３２−１はカーソル３３４−１とバー３３６−１を含み、バー３３６−１上でカーソル３３４−１をスライドさせることができるよう構成されており、カーソル３３４−１の停止位置で、拡大対象となるサムネイル画像を指示することができる。第１の拡大対象選択ツール画像３３２−１のカーソル３３４−１は、サムネイル画像３７６に対応する位置にあるので、サムネイル画像３７６を拡大対象として選択している状態である（第１の拡大画像表示領域３２０−１に表示されている第１の拡大画像３２２−１はサムネイル画像３７６に対応する画像である）。
【０１２５】
第２の拡大対象選択ツール画像３３２−２は、第２のサムネイル画像群３３０−２（サムネイル画像３６１〜３６６）に対応付けて表示されており、第１の拡大対象選択ツール画像３３２−１と同様の構成である。第２の拡大対象選択ツール画像３３２−２のカーソル３３４−２は、サムネイル画像３６３に対応する位置にあるので、サムネイル画像３６３を拡大対象として選択している状態である（第２の拡大画像表示領域３２０−２に表示されている第２の拡大画像３２２−２はサムネイル画像３６３に対応する画像である）。
【０１２６】
なお、拡大対象選択ツール画像の表示態様は図７の場合に限られない。例えば、拡大対象選択ツール画像として各サムネイル画像の側に各サムネイル画像に対応する選択ボタンの画像が表示されている構成でもよい。
【０１２７】
２−６．編集画像の排他制御
次に編集画像の排他制御について説明する。
【０１２８】
本実施の形態では第１のサムネイル画像群３３０−１の編集画像と第２のサムネイル画像群３３０−２の編集画像は同じ画像であり、同期している。例えばサムネイル画像３６１とサムネイル画像３７１は、同じ編集画像のサムネイル画像である。
【０１２９】
同じ編集画像に対応する異なるサムネイル画像に対して複数のタッチペンＴＰの入力情報が競合した場合には、先に入力された入力情報を、当該サムネイル画像に対する有効な入力情報とする。
【０１３０】
例えば図４において、第１のユーザがサムネイル画像３７１に対して落書き（編集入力）しようとしたとき、ほぼ同時に第２のユーザがサムネイル画像３６１に対して拡大対象選択入力（編集対象選択入力に相当）を行った場合、同じ編集画像に対して編集入力が競合する状態となる。
【０１３１】
競合を認めると同じ編集画像に対して第１のサムネイル画像群３３０−１と第２のサムネイル画像群３３０−２の両方で編集が行われることになるので、編集態様が複雑になりユーザが使いづらく感じる可能性もある。従ってサムネイル画像に対し拡大対象選択入力
と編集入力がほぼ同時に行われた場合（競合した場合）には、いずれか１つを有効なものとして扱い、他は無効とすることで、１つの編集画像に対して同時に編集が行われないようにしてもよい。
【０１３２】
また拡大画像が生成されているサムネイル画像については、編集できないような構成にしてもよい。例えば図４において、拡大画像３２２−１は、サムネイル画像３７６を拡大表示したものである場合、拡大画像３２２−１は第１のユーザにより編集可能な状態である。このような場合、拡大画像３２２−１に対応するサムネイル画像３７６は、表示されていても編集不可能な状態にしてもよい。またサムネイル画像３７６を表示しないようにしてもよい。これによりサムネイル画像３７６に対して第２のユーザが編集入力を行うのを防止することができる。
【０１３３】
例えば図４において、第１の拡大画像３２２−１（編集対象画像である場合）は、第１のタッチペン３１０−１でも第２のタッチペン３１０−２でも編集可能である。従って２つのタッチペンＴＰで同時に編集入力することも理論的には可能である。しかし使い勝手の良さを重視すれば、いずれか一人のユーザが編集することが好ましい。第１の拡大画像３２２−１に対していずれかのタッチペンＴＰにより落書き入力が継続されているときは、いずれかのユーザが編集中であるということなので、他のタッチペンＴＰによる入力情報が検出された場合には、当該入力情報を受け付けないようにすることで、１つの編集画像に同時に複数のユーザが編入入力を行えないようにすることができる。なお、第１の拡大画像３２２−１に対する第１のタッチペン３１０−１による落書き入力がペンアップしたのち、第２のタッチペン３１０−２により落書き入力を行うことは可能である。編集用モニタにタッチパネルを用いているため、接触しているタッチペンが、第１のタッチペン３１０−１であるか、第２のタッチペン３１０−２であるかを区別できないためである。
【０１３４】
２−７．サムネイル画像群の配置例
上記実施の形態では、ユーザの人数分のサムネイル画像群を編入用モニタに表示する場合を例にとり説明したがこれに限られない。
【０１３５】
図１１は、編集インターフェース画像の他の例について説明する図である。
【０１３６】
上記実施例ではユーザ一人分の画像を１人分編集インターフェース画像として説明したがこれに限られない。
【０１３７】
図１１に示すようにユーザ２人が、１組のサムネイル画像群３３０’からそれぞれ編集対象画像を選択するようにしてもよい。編集用モニタをデジタイザで実現する場合には、入力情報が第１のタッチペン３１０−１によるものか、第２のタッチペン３１０−２によるものか区別できる。従って、サムネイル画像群３３０’に対する編集対象指示入力が第１のタッチペン３１０−１によるものである場合には、拡大画像を第１の拡大画像表示領域３２０−１に表示し、サムネイル画像群３３０’に対する編集対象指示入力が第２のタッチペン３１０−２によるものである場合には、拡大画像を第２の拡大画像表示領域３２０−２に表示してもよい。
【０１３８】
図１１では、サムネイル画像３８６が、第１のタッチペン３１０−１により選択され、第１の拡大画像表示領域３２０−１に表示され、サムネイル画像３８３が、第２のタッチペン３１０−２により選択され、第２の拡大画像表示領域３２０−２に表示されている様子を示している。
【０１３９】
２−８．本実施の形態の処理
図１２は、本実施の形態の編集処理の流れを示すフローチャートである。
【０１４０】
まず複数の被写体画像を取得する（ステップＳ１０）。なお、被写体画像は、撮像部で撮影された撮影画像でもよいし、撮影画像から被写体のみを切り取った切り取り画像でもよい。
【０１４１】
次に編集インターフェース画像のパラメータである編集対象画像と編集ツール画像の選択状態の初期設定を行う。編集対象画像を非選択状態に設定し（ステップＳ２０）、編集ツール画像を非選択状態にする（ステップＳ３０）。
【０１４２】
次に、複数の被写体画像に対応する複数の編集画像のサムネイル画像群と、編集機能を選択するための編集ツール画像を編集用モニタに表示する（ステップＳ４０）。
【０１４３】
タッチペンＴＰの入力情報を取得したら（ステップＳ５０）、入力情報の入力種別判定処理を行う（ステップＳ６０）。そして判定された入力種別に基づき編集インターフェース画像の表示制御を行う（ステップＳ７０）。また判定された入力種別に基づき編集画像の編集処理を行う（ステップＳ８０）。編集終了イベントが発生するまで、ステップＳ５０〜Ｓ９０の処理を繰り返す（ステップＳ９０）。
【０１４４】
図１３は、本実施の形態の入力種別判定処理の流れを示すフローチャートである。
【０１４５】
本実施の形態ではタッチペンＴＰの入力情報を取得すると、入力情報の入力種別が、編集対象選択入力であるか、編集入力であるか、編集ツール選択入力であるか判定する。
【０１４６】
サムネイル画像群（編集画像）の編集対象画像が選択されていない状態であり（ステップＳ１１０）、タッチペンＴＰがサムネイル画像を指示している場合には（ステップＳ１２０）、入力種別はサムネイル画像に対する編集対象選択入力であると判定し（ステップＳ１３０）、サムネイル画像を編集対象画像として選択する（ステップＳ１４０）。例えば図１４の（ｉ２）のように編集開始直後に、サムネイル画像がタッチされた場合がこのケースに該当する。
【０１４７】
またサムネイル画像群（編集画像）の編集対象画像が選択されている状態であり（ステップＳ１１０でＹ）、タッチペンＴＰが編集対象画像を指示している場合には（ステップＳ１５０）、入力種別は編集対象画像に対する編集入力であると判定する（ステップＳ１６０）。このとき編集ツールが選択状態であれば編集ツールに対応した編集入力が有効であるが、編集ツールが非選択状態であれば、編集入力は無効となる。例えば図１４の（ｉ４）のように編集ツール画像タッチ後に、編集対象画像がタッチされた場合がこのケースに該当する。
【０１４８】
またサムネイル画像群（編集画像）の編集対象画像が選択されている状態であり（ステップＳ１１０でＹ）、タッチペンＴＰが編集対象画像ではないサムネイル画像を指示している場合には（ステップＳ１７０）、入力種別は編集画像に対する編集対象選択入力であると判定する（ステップＳ１９０）。そしてサムネイル画像を編集対象画像として選択し（ステップＳ１９０）、編集ツール画像を非選択状態に設定する（ステップＳ１９０）。例えば図１４の（ｉ５）のように編集対象画像を編集中または編集後に、サムネイル画像がタッチされた場合がこのケースに該当する。
【０１４９】
またサムネイル画像群（編集画像）の編集対象画像が選択されている状態であり（ステップＳ１１０Ｙ）、タッチペンＴＰが編集ツール画像を指示している場合には（ステップＳ２１０）、入力種別は編集ツール選択入力であると判定し（ステップＳ２２０）、編集ツールを選択状態にする（ステップＳ２３０）。例えば図１４の（ｉ３）のように編集対
象画像を編集中または編集後に、サムネイル画像がタッチされた場合がこのケースに該当する。
【０１５０】
なお、上記実施の形態では、安価なタッチパネルを用いた場合を中心に説明したが、本発明はデジタイザを用いても実施可能であり、かつ、タッチパネルとデジタイザのどちらを採用しても入力の方法を変える必要が無いため、汎用性が増すと共にユーザにも操作しやすい撮影画像編集システムを提供することができる。
【０１５１】
また、業務用の写真印刷装置を例にとり説明したがこれに限られない。例えば、写真撮影画像編集システムや写真シール印刷装置でもよいし、撮影機能を搭載した情報機器（携帯電話等の携帯用通信機器や、携帯用ゲーム機や、携帯情報端末や、パーソナルコンピュータ等）でもよいし、例えば電子カメラ等の撮影画像編集システムでもよい。また本発明は、業務用ゲームシステム、家庭用ゲームシステム、携帯型ゲームシステム、ゲーム画像を生成するシステムボード等の種々のゲームシステムに適用できる。 
【符号の説明】
【０１５２】
ＰＭ  撮影画像編集システム、ＣＭ  撮像部、ＥＭ  編集操作受付部、ＰＢ  写真シール提供部、ＳＰ  スピーカ、ＲＡ  受付領域、ＲＭＮ  受付用モニタ、ＣＩ  コイン投入口、ＲＬ  受付用照明部、ＭＲ  鏡ＭＲ、ＢＴ  撮像移行ボタン、ＣＡ  撮像領域、ＣＲ  カメラ、ＣＬ  撮像用照明部、ＣＭＮ  撮像用モニタ、ＥＡ  編集領域、ＥＭＮ  編集用モニタ、ＴＰ  タッチペン、ＰＡ  取出領域、ＰＯ  写真シール取出口、１００  処理部、１１０  背景抜き取り画像生成部、１１２  判断部、１１４  確認画像表示制御部、１１６  画像取り込み制御部、１１８  入力判定部、１２０  編集処理部、１２２  編集対象選択部、１２４  編集ツール選択状態設定部、１３０  画像生成部、１４０  音生成部、１６０  操作部、１７０  記憶部、１７４  描画バッファ、１８０  情報記憶媒体、１９０  ディスプレイ、１９２  音出力部、１９４、携帯型情報記憶装置、１９５  印刷部、１９６  通信部、１９８  撮像部
【図１】
2014203084.tif 000003
【図２】
2014203084.tif 000004
【図３】
2014203084.tif 000005
【図４】
2014203084.tif 000006
【図５】
2014203084.tif 000007
【図６】
2014203084.tif 000008
【図７】
2014203084.tif 000009
【図８】
2014203084.tif 000010
【図９】
2014203084.tif 000011
【図１０】
2014203084.tif 000012
【図１１】
2014203084.tif 000013
【図１２】
2014203084.tif 000014
【図１４】
2014203084.tif 000015
【図１３】
2014203084.tif 000016